(57)【要約】【課題】  二次電池の充電が可能な撮像装置において、二次電池を充電しつつ、撮像装置を動作させることができるようにする。【解決手段】  撮像装置は、複数の二次電池の残量を比較する電池電圧比較手段と、複数の二次電池の供給可能時間を予測する供給時間予測手段と、供給時間予測手段より予測した供給可能時間と電池電圧検出手段より検出した複数の二次電池の残量とから、充電を行う二次電池の目標電圧を設定する目標電圧設定手段とを有し、一方の二次電池を所定電圧まで充電を行い、ユーザが選択した動作モードと電力供給を行う一方の二次電池の供給可能時間とから、充電を行う他方の二次電池の目標電圧を設定し、目標電圧まで充電を行い、目標電圧まで他方の二次電池の充電が終了した後、撮像装置への電力供給に切り替えて一方の二次電池への充電を再開し、複数の二次電池を交互に充電する。【選択図】  図１
2019086727.tif 000002
【特許請求の範囲】
【請求項１】
撮像装置であって、
複数の二次電池の残量を比較する電池電圧比較手段と、
前記複数の二次電池の供給可能時間を予測する供給時間予測手段と、
前記供給時間予測手段より予測した供給可能時間と前記電池電圧検出手段より検出した前記複数の二次電池の残量とから、充電を行う二次電池の目標電圧を設定する目標電圧設定手段と
を有し、
一方の二次電池を所定電圧まで充電を行い、ユーザが選択した動作モードと電力供給を行う前記一方の二次電池の供給可能時間とから、充電を行う他方の二次電池の目標電圧を設定し、前記目標電圧まで充電を行い、
前記目標電圧まで前記他方の二次電池の充電が終了した後、前記撮像装置への電力供給に切り替えて前記一方の二次電池への充電を再開し、前記複数の二次電池を交互に充電することを特徴とする撮像装置。
【請求項２】
前記撮像装置の動作モードを設定することが可能な動作モード設定手段をさらに有し、
前記動作モード設定手段で設定されている動作モード毎に前記複数の二次電池の目標電圧を設定することを特徴とする請求項１に記載の撮像装置。
【請求項３】
前記複数の二次電池の全てが動作禁止電圧以下の際に、前記複数の二次電池の劣化防止のため、最初の充電時のみ所定の目標電圧まで急速充電を行うことを特徴とする請求項１に記載の撮像装置。
【請求項４】
前記複数の二次電池へのＵＳＢ充電の供給電力が、撮像動作時の消費電力を上回っていることを特徴とする請求項１に記載の撮像装置。
【請求項５】
充電が途中で停止した際、供給中の二次電池は動作禁止電圧まで供給を継続し、前記複数の二次電池のうち他方の二次電池が動作禁止電圧まで供給終了した後、別の二次電池の供給に切り替えて動作禁止電圧まで供給を行うことを特徴とする請求項１に記載の撮像装置。
【発明の詳細な説明】
【技術分野】
【０００１】
本発明は、撮像装置、その制御方法およびそれらに関するプログラムに関するものである。
【背景技術】
【０００２】
撮像装置は、バッテリグリップ等のアクセサリ装置を接続することにより複数の二次電池を接続することが可能となっている。しかし、二次電池は動作禁止電圧以上の電圧が充電されていることが必要であり、複数の二次電池を接続してもそれらすべての二次電池が動作禁止電圧以下の場合は撮像装置を起動させることができない。
【０００３】
このような場合において、ユーザが撮像を行うためには少なくとも一つの二次電池の電圧を動作禁止電圧以上にまで充電することが必要である。しかし、消費電力が大きい動作モードにおいては、ある程度の残量がないと、すぐに動作が停止してしまい、所望の時間、撮影を継続することができない。
【先行技術文献】
【特許文献】
【０００４】
【特許文献１】特開平１０−１４５９８２号公報
【特許文献２】特開平９−９７６２９号公報
【発明の概要】
【発明が解決しようとする課題】
【０００５】
しかしながら、特許文献１に記載された方法では、所定の電圧までは高速に充電することが可能だが、電力消費の大きい動作モードによってはユーザが望む動作時間を確保できない可能性がある。
【０００６】
特許文献２に記載された方法では、あらかじめ有る程度まで充電されている二次電池においては、比較的早く満充電まで充電することが可能でありユーザが選択した動作モードを長時間動作することができる。しかし、動作禁止電圧以下の二次電池を充電する際においては満充電まで多くの時間を要してしまう。
【０００７】
そこで、本発明は、二次電池の充電が可能な撮像装置において、二次電池を充電しつつ、撮像装置を動作させることができるようにすることを目的とする。
【課題を解決するための手段】
【０００８】
本発明に係る撮像装置は、撮像装置であって、複数の二次電池の残量を比較する電池電圧比較手段と、前記複数の二次電池の供給可能時間を予測する供給時間予測手段と、前記供給時間予測手段より予測した供給可能時間と前記電池電圧検出手段より検出した前記複数の二次電池の残量とから、充電を行う二次電池の目標電圧を設定する目標電圧設定手段とを有し、一方の二次電池を所定電圧まで充電を行い、ユーザが選択した動作モードと電力供給を行う前記一方の二次電池の供給可能時間とから、充電を行う他方の二次電池の目標電圧を設定し、前記目標電圧まで充電を行い、前記目標電圧まで前記他方の二次電池の充電が終了した後、前記撮像装置への電力供給に切り替えて前記一方の二次電池への充電を再開し、前記複数の二次電池を交互に充電する。
【発明の効果】
【０００９】
本発明によれば、二次電池の充電が可能な撮像装置において、二次電池を充電しつつ、撮像装置を動作させることができる。
【図面の簡単な説明】
【００１０】
【図１】実施形態１における撮像装置１００およびバッテリグリップ２００の構成要素を説明するためのブロック図である。
【図２】充電制御の切り替えのタイミングを説明するための図である。
【図３】満充電までの動作例を説明するための図である。
【図４】ＵＳＢ充電が途中で停止した際の充電制御方法を説明するための図である。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１における撮像装置１００およびバッテリグリップ２００の構成要素を説明するためのブロック図である。実施形態１では、撮像装置１００が、外部装置からＵＳＢ（Ｕｎｉｖｅｒｓａｌ  Ｓｅｒｉａｌ  Ｂｕｓ）を介して得られる電力を用いて二次電池を充電する機能を有する電子機器である場合を説明する。以下、外部装置からＵＳＢを介して得られる電力を用いて二次電池を充電する機能をＵＳＢ充電と呼ぶ。バッテリグリップ２００は、撮像装置１００から取り外し可能かアクセサリ装置である。
【００１３】
バッテリグリップ２００を撮像装置１００に接続することにより、二次電池２０１および２０２は、バッテリグリップ２００を介して撮像装置１００に接続される。撮像装置１００は、バッテリグリップ２００を取り付けるための三脚ねじ穴１１２を有しており、三脚ねじ２０４を締付けることにより撮像装置１００と接続状態となる。
【００１４】
マイコン１０１は、撮像装置１００の各構成要素を制御する。電源制御部１０２は、バッテリグリップ２００またはＵＳＢコネクタ１０７から供給される電力を撮像装置１００の各構成要素に供給し、ＵＳＢコネクタ１０７から供給される電力をバッテリグリップ２００に供給する。動作モード設定部１１３は、ユーザが選択した動作モードの情報をマイコン１０１へ送信する。エラー等が生じた際にユーザへ注意喚起を行う際は、発音部１０５および表示部１０６を使用する。
【００１５】
また、撮像装置１００には不図示のバッテリボックスがあり、バッテリボックス内には、バッテリグリップ２００が有する接続ピン２０３と接続するための接続接点１０４が設けられている。接続接点１０４には、電源供給接点１０４ａ、ＧＮＤ接続接点１０４ｂ、アクセサリ検出接点１０４ｃおよび不図示の通信接点を有する。
【００１６】
撮像装置１００は、アクセサリ検出部１０３を有する。アクセサリ検出部１０３は、撮像装置１００にバッテリグリップ２００が接続された際に、バッテリグリップ２００の接続ピン２０３ｃからのアクセサリ検出信号を検知する。
【００１７】
バッテリグリップ２００が撮像装置１００に接続されると、バッテリグリップ２００が有する電源供給ピン２０３ａ、ＧＮＤピン２０３ｂおよびアクセサリ検出ピン２０３ｃのそれぞれが接続接点１０４と接続される。撮像装置１００のアクセサリ検出接続接点１０４ｃが、バッテリグリップ２００のアクセサリ検出ピン２０３ｃと接続すると、アクセサリ検出信号の変化を検出し、撮像装置１００はバッテリグリップ２００が接続されたと認識する。
【００１８】
また、電池電圧比較ピン２０３ｄと電池電圧比較用接続接点１０４ｄが接続すると、二次電池２０１の電圧と二次電池２０２の電圧とを比較した情報がマイコン１０１に送信される。
【００１９】
また、撮像装置１００はＵＳＢコネクタ１０７を有しており、このコネクタ１０７に不図示の外部装置よりＵＳＢケーブル等を接続して、撮像装置１００と外部装置との間のデータ通信と、外部装置から撮像装置１００への電力供給とを行う。
【００２０】
供給能力判定部１１０は、ＵＳＢ充電により外部装置等から供給される供給能力や規格を判定して、判定結果をマイコン１０１へ送信する。２０５は電池電圧比較部であり、バッテリグリップ２００に接続されている二次電池２０１の残量と二次電池２０２の残量とを比較する。１１１は供給時間予測部であり、バッテリグリップ２００に接続されている二次電池２０１および２０２において、供給を行っている二次電池２０１または２０２の電圧が動作禁止電圧以下になるまでの時間を計算する。
【００２１】
１０９は目標電圧設定部であり、バッテリグリップ２００に接続されている二次電池２０１および２０２において、充電を行う二次電池２０１または２０２の目標とする充電電圧を計算する。１０８は充電制御部であり、目標電圧設定部１０９と供給時間予測部１１１からの情報を元に、二次電池２０１および２０２の充電および電力供給を制御する。
【００２２】
図２（ａ）、図２（ｂ）、図２（ｃ）および図２（ｄ）は、撮像装置１００に接続されている二次電池２０１および２０２の状態遷移を説明するための図である。ここでは例として、撮像装置１００に接続されている二次電池２０１および２０２が２個であり、ユーザが動画撮影モードを選択した際の切り替えタイミングを説明する。
【００２３】
この際、前提として撮像装置１００は、撮影動作時は電池からの給電で行い、また充電時の電力が消費電力を上回っていること、ＵＳＢ接続時の給電だけでは撮影動作ができないこと、またＵＳＢ充電中の二次電池は撮像装置１００に電力を供給できないこととする。
【００２４】
まず、図２（ａ）について説明を行う。２個の二次電池２０１および２０２は共に動作禁止電圧以下であるから、動画撮影モードは開始できない。次に電池電圧比較部２０５より、２個の二次電池２０１および２０２のうち、残存電圧の高い二次電池を選択する（二次電池２０１と仮定する）。二次電池２０１のほうが充電時に、動作禁止電圧に到達する時間が早いため、ユーザが動画撮影を開始する待ち時間を早められることから、充電制御部１０８は最初にＵＳＢ充電を行う二次電池を二次電池２０１と定める。
【００２５】
次に、目標電圧設定部１０９より、二次電池２０１に充電を行う充電電圧を設定する。この充電電圧は、二次電池２０１が動画撮影のため、撮像装置１００へ電力を供給するために必要な消費電力と、ＵＳＢ充電の電力供給量と、二次電池２０２の残存電圧の関係性から決定する。具体的には、後に二次電池２０２のＵＳＢ充電を行う際に二次電池２０２の充電電圧が動作禁止電圧以上となるように、二次電池２０１の供給可能時間と二次電池２０２の残存電圧から二次電池２０１の目標充電電圧を決定する（この場合の二次電池２０１の目標充電電圧を動画撮影開始電圧と仮定する）。
【００２６】
次に、図２（ｂ）について説明を行う。図２（ａ）で二次電池２０１の動画撮影開始電圧が決定した後、この電圧までＵＳＢ充電を行う。二次電池２０１の残存電圧は動作禁止電圧以下であるため、最初のＵＳＢ充電は急速充電を行い、ユーザが可能な限り早く動画撮影モードを開始できるようにする。この際、二次電池２０１および２０２の劣化を防ぐため、急速充電は初回充電時のみ行う。
【００２７】
次に、図２（ｃ）について説明を行う。図２（ｂ）の動画撮影開始電圧までＵＳＢ充電が完了した後、二次電池２０１は電力供給を開始して二次電池２０２はＵＳＢ充電を開始する。この場合の二次電池２０２の充電目標電圧は、動作禁止電圧以上となるように二次電池２０１の動画撮影モード時の供給時間と二次電池２０２の残存電圧を元に、目標電圧設定部１０９が決定する（この場合の二次電池２０２の目標充電電圧を供給開始電圧とする）。
【００２８】
次に、図２（ｄ）について説明を行う。図２（ｃ）の供給開始電圧までＵＳＢ充電が完了した後、二次電池２０２は電力供給を開始して二次電池２０１はＵＳＢ充電を開始する。この場合の二次電池２０１の充電目標電圧（供給開始電圧）は、二次電池２０２の動画撮影モード時の供給時間と二次電池２０１の残存電圧を元に、目標電圧設定部１０９が決定する。この場合の二次電池２０１の供給開始電圧は、図２（ａ）で決定した動画撮影開始電圧より高くなるようにする。
【００２９】
以後、同様に二次電池２０１および二次電池２０２の充電と電力供給とを交互に切り替えて動画撮影モードを継続する。
【００３０】
図３は、二次電池２０１の充電制御により、二次電池２０１および２０２がそれぞれ満充電になるまでの過程を表したタイミングチャート図である。図３の縦軸は電圧を示し、横軸は時間を示す。
【００３１】
ここでは例として、撮像装置１００に接続されている２個の二次電池２０１および２０２の切り替えタイミングを説明する。ｔ１〜ｔ７は図２で説明したように、二次電池２０１および２０２のお互いの供給可能時間と残存電圧を元に、充電を行う二次電池２０１および２０２の充電目標電圧を設定し、ＵＳＢ充電が完了した後は撮像装置１００への電力供給に切り替えている（０〜ｔ１は動画撮影開始を可能な限り早く行うため、ＵＳＢ急速充電により充電を行っている）。
【００３２】
ｔ８で二次電池２０２は満充電に達するため、ＵＳＢ充電を停止して二次電池２０１のＵＳＢ充電に切り替える。ｔ９で二次電池２０１も満充電に達するため、二次電池２０２のＵＳＢ充電に切り替える。ｔ９以降は、二次電池２０１と二次電池２０２が満充電に達する毎にＵＳＢ充電と電力給電とを切り替えて動画撮影モードを継続する。
【００３３】
図４は、ユーザの強制終了等によりＵＳＢ充電が途中で停止した際の、２個の二次電池２０１および２０２の充電制御を示す図である。ここでは、例として、撮像装置１００に接続されている２個の二次電池２０１および２０２の切り替えタイミングを説明する。
【００３４】
４０はＵＳＢ充電が停止した時間を示しており、４１と４２はそれぞれＵＳＢ充電が停止した際の二次電池２０１および２０２の電圧の変化を示す。４０でＵＳＢ充電が停止した際、二次電池２０１および２０２共に充電の切り替え制御を停止し、電力供給中の二次電池２０１は動作禁止電圧まで電力供給を継続する。二次電池２０２は二次電池２０１が動作禁止電圧まで電圧が低下するのを待機し、その後、二次電池２０２も動作禁止電圧まで電力供給を継続する。
【００３５】
実施形態１において、２個の二次電池２０１および２０２で説明を行っているが、２個以上の複数電池での充電制御も可能である。
【００３６】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００３７】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００３８】
なお、本発明の実施形態は上述の実施形態１または２に限定されるものではない。発明の要旨を逸脱しない範囲で変更または修正された実施形態１または２も本発明の実施形態に含まれる。
【符号の説明】
【００３９】
１００  撮像装置
２００  バッテリグリップ
【図１】
2019086727.tif 000003
【図２】
2019086727.tif 000004
【図３】
2019086727.tif 000005
【図４】
2019086727.tif 000006